(57)【要約】【課題】湿度の低い空気を吸気することにより、浴室の乾燥時間を短縮し快適で使い勝手の良い浴室を提供することを目的とする。【解決手段】浴室５に設置した換気扇６は吸気用ファンモータ１４と、排気用ファンモーター１５と、複数の吸気口７、１０と、排気口１２と、浴室内に向けて開口した吹き出し口２３と、浴室内の空気を吸い込む吸引口２２を備え、前記吸気口７には個別に開閉するシャッター１７、２０と湿度センサー１６、１９を設け、湿度の低い吸気口から吸気することにより、浴室内の湿度を下げ、浴室の乾燥時間を短縮するものである。【選択図】図２
2005265240.tif 000002
【特許請求の範囲】
【請求項１】
浴室の天井または壁面に換気扇を設置し、前記換気扇は吸気用ファンモータと、排気用ファンモーターと、浴室外から吸気する複数の吸気口と、浴室外に排気する排気口と、浴室内に向けて開口した吹き出し口と、浴室内の空気を吸い込む吸引口を備え、前記吸気口には個別に開閉するシャッターと湿度センサーを設け、浴室外の複数箇所に連通する吸気ダクトを各々の吸気口に接続し、屋外に連通する排気ダクトを排気口に接続した浴室の換気構造。
【請求項２】
吹き出し口はスリット状の幅の広い開口とした請求項１に記載の浴室の換気構造。
【請求項３】
吸気口の少なくとも１個にヒーターを設置し、吸気用ファンモータの吸気と排気方向を逆にする制御機能を備えた請求項１または２に記載の浴室の換気構造。
【発明の詳細な説明】
【技術分野】
【０００１】
本発明は浴室における換気構造に関するものである。
【背景技術】
【０００２】
従来、浴室の換気構造は、天井、或いは壁面に換気扇を設置し、浴室内の空気が循環し易いように浴室の角部分に丸みを設け、浴室内の空気を積極的に入れ換えて乾燥を促進している（例えば、特許文献１参照）。
【０００３】
図４は、前記公報に記載された従来の換気構造を示すものである。図４に示すように、角部分に丸みを設けた浴室１の天井２に換気扇３を設置し、矢印４に示す方向に送風し浴室内を乾燥する構成である。
【特許文献１】特開平６−１５８６７１号公報
【発明の開示】
【発明が解決しようとする課題】
【０００４】
しかしながら、前記従来の構成では、浴室の形状が制限され、浴室の乾燥に必要な空気は浴室ドアからの換気だけで、乾燥性能を充分満足できるものではないという課題を有していた。
【０００５】
本発明は、前記従来の課題を解決するもので、浴室の乾燥時間を速く乾燥させることを目的とする。
【課題を解決するための手段】
【０００６】
前記従来の課題を解決するために、本発明の浴室の換気構造は、浴室の天井または壁面に換気扇を設置し、前記換気扇は吸気用ファンモータと、排気用ファンモーターと、浴室外から吸気する複数の吸気口と、浴室外に排気する排気口と、浴室内に向けて開口した吹き出し口と、浴室内の空気を吸い込む吸引口を備え、前記吸気口には個別に開閉するシャッターと湿度センサーを設け、浴室外の複数箇所に連通する吸気ダクトを各々の吸気口に接続し、屋外に連通する排気ダクトを排気口に接続したものである。
【０００７】
これによって、複数設けた吸気口の内、湿度の低い吸気口から吸気することにより、浴室内の湿度を下げ、浴室の乾燥時間を短縮することができる。
【発明の効果】
【０００８】
本発明の浴室の換気構造は、湿度の低い吸気を選択することにより、浴室内の乾燥時間を短縮することができる。
【発明を実施するための最良の形態】
【０００９】
第１の発明は、浴室の天井または壁面に換気扇を設置し、前記換気扇は吸気用ファンモータと、排気用ファンモーターと、浴室外から吸気する複数の吸気口と、浴室外に排気する排気口と、浴室内に向けて開口した吹き出し口と、浴室内の空気を吸い込む吸引口を備え、前記吸気口には個別に開閉するシャッターと湿度センサーを設け、浴室外の複数箇所に連通する吸気ダクトを各々の吸気口に接続し、屋外に連通する排気ダクトを排気口に接続しすることにより、複数の吸気口に設けた湿度センサーで各々の吸気の湿度を検知し、一番低い湿度の低い吸気口のシャッターを開き、その他のシャッターで閉じることにより、湿度の低い空気を浴室内に供給することが可能となり、浴室の乾燥時間を短縮することができる。
【００１０】
第２の発明は、特に、第１の発明の吹き出し口はスリット状の幅の広い開口とすることにより、浴室に供給される空気は浴室の壁面あるいは床面に幅広く送風できるため、浴室内の乾燥の斑を解消し、浴室全体の乾燥時間を短縮することができる。
【００１１】
第３の発明は、特に第１または第２の発明の吸気口の少なくとも１個にヒーターを設置し、吸気用ファンモーターの吸気と排気方向を逆にする制御機能を備えることにより、吸気をヒーターで加熱することにより湿度を下げ、乾燥時間を短縮することが可能となり、またヒーターの通電とともに、吸気と排気の方向を逆にすることにより吸気ダクトの開口先が脱衣室等の場合、脱衣室の暖房ができるものである。
【００１２】
以下本発明の実施例について、図面を参照しながら説明する。
【００１３】
（実施の形態１）
図１は、本発明の第１の実施の形態における浴室の換気構造の断面図を示すものであり、図２は換気扇内部の構成を示す模式図で、図３は換気扇の循環吸気口と循環排気口の外観の斜視図を示すものである。
【００１４】
図１に示すように、浴室５の天井５ａに換気扇６を設置し、一方の吸気口７に接続した吸気ダクト８は浴室５に隣接した脱衣室９の天井面９ａより脱衣室９内に開放しており、もう一方の吸気口１０に接続した吸気ダクト１１は浴室５の外部の屋内に開放しており、排気口１２に接続した排気ダクト１３は屋外に開放している。
【００１５】
また、図２に示すように換気扇６の内部には、回転方向を逆転することにより送風方向が反転する機能を備えた吸気用ファンモーター１４と浴室内の空気を排気する排気用ファンモーター１５を備え、一方の吸気口７には湿度センサー１６と、電動で開閉するシャッター１７と、ヒーター１８が設置してあり、他方の吸気口１０には湿度センサー１９と電動で開閉するシャッター２０が設置してあり、これらの部材は制御部２１と電気的に接続しており、制御部２１により運転が制御できる。
【００１６】
そして、図３に示すように、換気扇６の下部には、水平方向より浴室内の空気を吸気を行う吸引口２２と吸気した空気を下方に向けて幅広く送風を行うスリット状の吹き出し口２３を備えている。
【００１７】
また、浴室の壁面５ｂにはスイッチユニット２４が設置してあり、スイッチユニット２４には換気扇６の運転を操作する運転スイッチ２４ａと、ヒーター１８の入切操作を行うヒータースイッチ２４ｂと、吸気用ファンモーター１４の吸気と排気の方向を反転する切替スイッチ２４ｃを備えており、スイッチユニット２４は前記制御部２１と電気的に接続している。
【００１８】
以上のように構成された浴室の換気構造について、以下その動作、作用を説明する。
【００１９】
まず、浴室を乾燥する場合において、図２に示すような状態で運転スイッチ２４ａを「入」にすると、吸気用ファンモーター１４と排気用ファンモーター１５はともに正方向の回転を開始し、吸気ダクト８、１１を通って吸気口７、１０から吸引した乾燥した空気はスリット状の幅の広い吹き出し口２３より浴室５の壁面５ｂに沿うよう床面に向かって流れ、その間に浴室内の湿気を吸収する。一方よく室内の湿った空気は吸引口２２から吸引し、排気口１２から排気ダクト１３を通って屋外に排出する。
【００２０】
運転開始と同時に湿度センサー１６、１９は湿度の検知を開始し、一定時間経過後湿度の高い方の吸気口に設けたシャッターを閉じ、湿度の低い方の吸気口のみから吸気を続ける。一定時間経過ごとに湿度センサー１６、１９は再び湿度の検知を行い、検知結果によりシャッター１６、１９の開閉を実行する。上記湿度センサー１６、１９による制御は制御部２１により自動的に実施する。
【００２１】
梅雨時期等で湿度が高い場合や、浴室を早く乾燥させたい場合にはヒータースイッチ２４ｂを「入」にするとヒーター１８に通電が開始し、吸気はヒーター１８が設置してある吸気口７のみから吸気吸気行う。
【００２２】
また、上記ヒータースイッチ２４ｂが「入」の状態で、切替スイッチ２４ｃを「入」にすると吸気ファンモーター１４は逆回転し、吹き出し口２３から吸引した空気はヒーター１８加熱し吸気口７、吸気ダクト８を通って浴室５に隣接する脱衣室９に温風を放出し、脱衣室９を暖房することができる。
【００２３】
以上のように、本実施の形態においては、浴室外から吸気する複数の吸気口と、前記吸気口には個別に開閉するシャッターと湿度センサーを設け、湿度センサーで湿度を検知し、湿度の低い空気を吸気し、スリット状の幅の広い吹き出し口から浴室内に供給することにより、浴室の乾燥時間を大幅に短縮することができる。
【００２４】
なお、本実施の形態においては一方の吸気ダクトを脱衣室に開放したが、これに限るものではなく、廊下やキッチン等湿度が低い場所を選択することにより、より効果を高めることができる。
【産業上の利用可能性】
【００２５】
以上のように、本発明にかかる浴室の乾燥構造、室内を乾燥する乾燥時間を短縮することが可能となるので、浴室以外の洗面所や洗濯室等の水回り空間での用途にも適用できる。
【図面の簡単な説明】
【００２６】
【図１】本発明の実施の形態１における浴室の換気構造を示す断面図
【図２】本発明の実施の形態１における換気扇の構成を示す模式図
【図３】本発明の実施の形態１における換気扇の要部を示す斜視図
【図４】従来の浴室の換気構造を示す斜視図
【符号の説明】
【００２７】
５  浴室
５ａ  天井
５ｂ  壁面
６  換気扇
７、１０  吸気口
８、１１  吸気ダクト
１２  排気口
１３  排気ダクト
１４  吸気用ファンモーター
１５  排気用ファンモーター
１６、１９  湿度センサー
１７、２０  シャッター
２２  吸引口
２３  吹き出し口
【図１】
2005265240.tif 000003
【図２】
2005265240.tif 000004
【図３】
2005265240.tif 000005
【図４】
2005265240.tif 000006